【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
基地局通信装置と、移動可能な複数の移動体にそれぞれ搭載される移動局通信装置とを有し、移動局通信装置が、基地局通信装置から送信される送信要求信号を受信すると、送信要求信号に基づいて、任意の目的位置と移動体の位置との位置に関する評価値を求めて、予め定める複数の評価範囲のいずれに前記評価値が属するのか判断して、前記評価値の属する評価範囲に設定される応答タイミングで応答信号を送信し、基地局通信装置が、移動局通信装置から送信される応答信号に基づいて移動体と目的位置の関係を評価する移動体把握システムに用いられる基地局通信装置であって、
評価範囲と評価範囲毎に設定される応答タイミングとを変更する評価範囲変更情報を含ませた送信要求信号を送信可能であることを特徴とする基地局通信装置。
【請求項２】
応答信号の衝突を判断すると、評価範囲と評価範囲毎に設定される応答タイミングとを変更する評価範囲変更情報を含ませた送信要求信号を再送することを特徴とする請求項１記載の基地局通信装置。
【請求項３】
応答信号の衝突を判断すると、評価範囲を細分化するとともに細分化した評価範囲毎に応答タイミングを変更する評価範囲変更情報を、送信要求信号に含ませることを特徴とする請求項１または２記載の基地局通信装置。
【請求項４】
基地局通信装置と、移動可能な複数の移動体にそれぞれ搭載される移動局通信装置とを有し、移動局通信装置が、基地局通信装置から送信される送信要求信号を受信すると、任意の目的位置と移動体の位置との位置に関する評価値を求めて、予め定める複数の評価範囲のいずれに前記評価値が属するのか判断して、前記評価値の属する評価範囲に設定される応答タイミングで応答信号を送信し、基地局通信装置が、移動局通信装置から送信される応答信号に基づいて移動体と目的位置の関係を評価する移動体把握システムに用いられる移動局通信装置であって、
評価範囲と評価範囲毎に設定される応答タイミングとを変更可能に構成されることを特徴とする移動局通信装置。
【請求項５】
送信要求信号を受信してから予め定める待機時間α経過後に、評価範囲毎に設定される応答タイミングで応答信号を送信することを特徴とする請求項４記載の移動局通信装置。
【請求項６】
基地局通信装置と、移動可能な複数の移動体にそれぞれ搭載される移動局通信装置とを有し、移動局通信装置が、基地局通信装置から送信される送信要求信号を受信すると、任意の目的位置と移動体の位置との位置に関する評価値を求めて、予め定める複数の評価範囲のいずれに前記評価値が属するのか判断して、前記評価値の属する評価範囲に設定される応答タイミングで応答信号を送信し、基地局通信装置が、移動局通信装置から送信される応答信号に基づいて移動体と目的位置の関係を評価する移動体把握システムであって、
評価範囲と評価範囲毎に設定される応答タイミングとを変更可能に構成されることを特徴とする移動体把握システム。
【請求項７】
請求項６に記載の移動体把握システムを備え、移動局通信装置に予め定める指令信号を送信する移動体指令システムであって、
基地局通信装置から移動体の評価値の属する評価範囲を示す情報が与えられ、移動体とその移動体の評価値の属する評価範囲とを対応させて報知する報知装置と、
オペレータの指示に従って、指令信号を送信すべき移動局通信装置を選択する選択装置とをさらに含み、
基地局通信装置は、選択装置によって選択された移動局通信装置に指令信号を送信することを特徴とする移動体指令システム。
【請求項８】
移動局通信装置は、指令信号を受信したことを示す返信信号を送信し、
基地局通信装置は、返信信号を受信すると、移動局通信装置に応答信号の送信を中止させる送信中止信号を送信することを特徴とする請求項７記載の移動体指令システム。
【手続補正２】
【補正対象書類名】明細書
【補正対象項目名】００１８
【補正方法】削除
【補正の内容】
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】削除
【補正の内容】
【手続補正１３】
【補正対象書類名】明細書
【補正対象項目名】００３５
【補正方法】削除
【補正の内容】
【手続補正１４】
【補正対象書類名】明細書
【補正対象項目名】００３６
【補正方法】削除
【補正の内容】
【手続補正１５】
【補正対象書類名】明細書
【補正対象項目名】００３７
【補正方法】削除
【補正の内容】
【手続補正１６】
【補正対象書類名】明細書
【補正対象項目名】００３８
【補正方法】削除
【補正の内容】
【手続補正１７】
【補正対象書類名】明細書
【補正対象項目名】００３９
【補正方法】削除
【補正の内容】
【手続補正１８】
【補正対象書類名】明細書
【補正対象項目名】００４０
【補正方法】削除
【補正の内容】
【手続補正１９】
【補正対象書類名】明細書
【補正対象項目名】００４１
【補正方法】削除
【補正の内容】
【手続補正２０】
【補正対象書類名】明細書
【補正対象項目名】００４２
【補正方法】削除
【補正の内容】
【手続補正２１】
【補正対象書類名】明細書
【補正対象項目名】００４３
【補正方法】削除
【補正の内容】
【手続補正２２】
【補正対象書類名】明細書
【補正対象項目名】００４４
【補正方法】削除
【補正の内容】
【手続補正２３】
【補正対象書類名】明細書
【補正対象項目名】００４５
【補正方法】削除
【補正の内容】
【手続補正２４】
【補正対象書類名】明細書
【補正対象項目名】００４６
【補正方法】削除
【補正の内容】
【手続補正２５】
【補正対象書類名】明細書
【補正対象項目名】００４７
【補正方法】削除
【補正の内容】
【手続補正２６】
【補正対象書類名】明細書
【補正対象項目名】００４８
【補正方法】削除
【補正の内容】
【手続補正２７】
【補正対象書類名】明細書
【補正対象項目名】００５１
【補正方法】削除
【補正の内容】
【手続補正２８】
【補正対象書類名】明細書
【補正対象項目名】００５２
【補正方法】削除
【補正の内容】
【手続補正２９】
【補正対象書類名】明細書
【補正対象項目名】００５５
【補正方法】削除
【補正の内容】
【手続補正３０】
【補正対象書類名】明細書
【補正対象項目名】００５６
【補正方法】削除
【補正の内容】
【手続補正３１】
【補正対象書類名】明細書
【補正対象項目名】００６０
【補正方法】削除
【補正の内容】
【手続補正３２】
【補正対象書類名】明細書
【補正対象項目名】００６１
【補正方法】削除
【補正の内容】
【手続補正３３】
【補正対象書類名】明細書
【補正対象項目名】００６２
【補正方法】削除
【補正の内容】
【手続補正３４】
【補正対象書類名】明細書
【補正対象項目名】００６５
【補正方法】削除
【補正の内容】
【手続補正３５】
【補正対象書類名】明細書
【補正対象項目名】００６６
【補正方法】削除
【補正の内容】
【手続補正３６】
【補正対象書類名】明細書
【補正対象項目名】００６７
【補正方法】削除
【補正の内容】
【手続補正３７】
【補正対象書類名】明細書
【補正対象項目名】００６９
【補正方法】削除
【補正の内容】
【手続補正３８】
【補正対象書類名】明細書
【補正対象項目名】００７０
【補正方法】削除
【補正の内容】
【手続補正３９】
【補正対象書類名】明細書
【補正対象項目名】００７１
【補正方法】削除
【補正の内容】
【手続補正４０】
【補正対象書類名】明細書
【補正対象項目名】００７２
【補正方法】削除
【補正の内容】
【手続補正４１】
【補正対象書類名】明細書
【補正対象項目名】００７３
【補正方法】削除
【補正の内容】
【手続補正４２】
【補正対象書類名】明細書
【補正対象項目名】００７４
【補正方法】削除
【補正の内容】
【手続補正４３】
【補正対象書類名】明細書
【補正対象項目名】００７５
【補正方法】削除
【補正の内容】
【手続補正４４】
【補正対象書類名】明細書
【補正対象項目名】００７７
【補正方法】削除
【補正の内容】
【手続補正４５】
【補正対象書類名】明細書
【補正対象項目名】００７９
【補正方法】削除
【補正の内容】